(57)【要約】      （修正有）【課題】幼児、児童等であっても、収納された複数の紙片を一枚ずつ容易に取り出すことが可能な紙片収納具を提供する。【解決手段】上端に開口部１１を有し、複数の紙片を収納しうる箱状収納部１３と、該箱状収納部の開口部を開閉可能に閉止しうる蓋部１４とを備えた紙片収納具であって、上記箱状収納部の一端部において、上記箱状収納部の底面部１５と側面部１６の上端縁部との間に配置され、上記底面部から側面部の上端縁部に向かって次第に高くなる傾斜面部１７が配設された構成とする。【選択図】図２
0003168971.tif 000002
【実用新案登録請求の範囲】
【請求項１】
上端に開口部を有し、複数の紙片を収納しうる箱状収納部と、上記箱状収納部の開口部を開閉可能に閉止しうる蓋部とを備えた紙片収納具であって、
上記箱状収納部の一端部において、上記箱状収納部の底面部と側面部の上端縁部との間に配置され、上記底面部から側面部の上端縁部に向かって次第に高くなる傾斜面部が配設されていることを特徴とする紙片収納具。
【請求項２】
上記箱状収納部は、平面長方形に形成され、
上記傾斜面部は、上記箱状収納部の長さ方向一端部に配設され、
上記蓋部は、上記箱状収納部の長さ方向他端部にヒンジ部を介して開閉可能に配設されていることを特徴とする請求項１記載の紙片収納具。
【請求項３】
上記傾斜面部と上記箱状収納部は、一体成形により形成されていることを特徴とする請求項１または請求項２に記載の紙片収納具。
【請求項４】
上記傾斜面部と上記箱状収納部との間には、補強部材が配設されていることを特徴とする請求項１から請求項３いずれか１項に記載の紙片収納具。
【請求項５】
上記蓋部の長さ方向一端部には係合部が形成され、
上記箱状収納部の長さ方向一端部には、上記係合部と係合することによって、上記蓋部を閉止状態で係止しうる係止部材が、回動可能に配設されると共に、上記箱状収納部の長さ方向他端部には、把持用取手部が取り付けられていることを特徴とする請求項２から請求項４いずれか１項に記載の紙片収納具。
【考案の詳細な説明】
【技術分野】
【０００１】
本考案は、折紙等の紙片を収納しうる紙片収納具に関する。
【背景技術】
【０００２】
折紙は、幼児や児童用の遊戯具として、広く流通する玩具である。
上記折紙は、通常数十枚単位でビニール等の薄い樹脂製の袋体に封入されて販売されているが、一般的に上記袋体は破れ易く、保管用としては十分な強度を有していない。
従って、玩具等の管理能力が十分でない幼児の場合、折紙を適正に管理できず、散乱させて、破損しまう場合があった。
【０００３】
このため、販売用の袋体から取り出した折紙紙片を、複数枚纏めて収納しうる箱状の紙片収納具が既に提供されているが、紙片が重なった状態で収納されることから、児童等が、収納された紙片を一枚ずつ取り出すことは困難であり、取り出し操作時に、折紙を破いてしまう虞があるという不具合を有していた。
【考案の開示】
【考案が解決しようとする課題】
【０００４】
本考案の解決する課題は、幼児、児童等であっても、収納された複数の紙片を一枚ずつ容易に取り出すことが可能な紙片収納具を提供することにある。
【課題を解決するための手段】
【０００５】
上記課題を解決するために、請求項１に記載した考案に係る紙片収納具は、上端に開口部を有し、複数の紙片を収納しうる箱状収納部と、上記箱状収納部の開口部を開閉可能に閉止しうる蓋部とを備えた紙片収納具であって、上記箱状収納部の一端部において、上記箱状収納部の底面部と側面部の上端縁部との間に配置され、上記底面部から側面部の上端縁部に向かって次第に高くなる傾斜面部が配設されていることを特徴とする。
【０００６】
従って、上記箱状収納部の内部に複数枚重ねて紙片を収納した場合、一番上に位置する紙片を、上記傾斜面部の傾斜に沿って、上記箱状収納部の側面部の上端縁部に向かって滑らせて移動することによって、上記紙片を上記箱状収納部から取り出すことができる。
【０００７】
また、請求項２に記載した考案に係る紙片収納具は、上記箱状収納部は、平面長方形に形成され、上記傾斜面部は、上記箱状収納部の長さ方向一端部に配設され、上記蓋部は、上記箱状収納部の長さ方向他端部にヒンジ部を介して開閉可能に配設されていることを特徴とする。
【０００８】
従って、上記箱状収納部の内部に複数枚重ねて紙片を収納した場合、一番上に位置する紙片を、上記傾斜面部の傾斜に沿って、上記箱状収納部の長さ方向一端部の側面部の上端縁部に向かって、滑らせて移動することによって、上記箱状収納部の長さ方向一端部から取り出すことができる。
【０００９】
また、請求項３に記載した考案に係る紙片収納具は、上記傾斜面部と上記箱状収納部は、一体成形により形成されていることを特徴とする。
【００１０】
従って、上記紙片収納具の製造過程において、上記箱状収納部と上記傾斜面部を別部品として準備する必要がないため、上記箱状収納部に、別途上記傾斜面部を取り付ける工程が不要となる。
【００１１】
また、請求項４に記載した考案に係る紙片収納具は、上記傾斜面部と上記箱状収納部との間には、補強部材が配設されていることを特徴とする。
【００１２】
従って、上記補強部材よって、上記傾斜面部の強度が向上する。
【００１３】
また、請求項５に記載した考案に係る紙片収納具は、上記蓋部の長さ方向一端部には係合部が形成され、上記箱状収納部の長さ方向一端部には、上記係合部と係合することによって、上記蓋部を閉止状態で係止しうる係止部材が、回動可能に配設されると共に、上記箱状収納部の長さ方向他端部には、把持用取手部が取り付けられていることを特徴とする。
【００１４】
従って、上記蓋部を閉止状態で保持しうるため、収納した紙片が落下することがなく、且つ上記把持用取手部を把持して持ち運ぶことができる。
【考案の効果】
【００１５】
請求項１の発明にあっては、上端に開口部を有し、複数の紙片を収納しうる箱状収納部と、上記箱状収納部の開口部を開閉可能に閉止しうる蓋部とを備えた紙片収納具であって、上記箱状収納部の一端部において、上記箱状収納部の底面部と側面部の上端縁部との間に配置され、上記底面部から側面部の上端縁部に向かって次第に高くなる傾斜面部が配設されていることから、箱状収納部に複数の紙片を重ねて収納した場合に、上端の紙片を、上記傾斜面部の傾斜に沿って、上記箱状収納部の側面部の上端縁部に向かって手指等で滑らせることによって、上記紙片を上記箱状収納部から取り出すことができる。
従って、幼児、児童等であっても、収納された複数の紙片を一枚ずつ容易に取り出すことが可能な紙片収納具を提供することができる。
【００１６】
また、請求項２の考案にあっては、上記箱状収納部は、平面長方形に形成され、上記傾斜面部は、上記箱状収納部の長さ方向一端部に配設され、上記蓋部は、上記箱状収納部の長さ方向他端部にヒンジ部を介して開閉可能に配設されていることから、請求項１記載の考案の効果に加え、蓋部のヒンジ部を介して配設されているため、幼児・児童であっても蓋部の開閉操作が容易となる。
【００１７】
また、請求項３の考案にあっては、上記傾斜面部と上記箱状収納部は、一体成形により形成されていることから、製造過程において、上記箱状収納部と上記傾斜面部を別部品として準備する必要が無く、上記箱状収納部に別途上記傾斜面部を取り付ける工程が不要となる。
従って、製造工数の削減が可能となり、製造コストを低減することができる。
また、上記傾斜面部と上記箱状収納部の側面部との接合部分がより滑らかとなるため、紙片を滑らせ易く、取り出し操作が更に容易となる。
【００１８】
また、請求項４の考案にあっては、上記傾斜面部と上記箱状収納部との間には、補強部材が配設されていることから、紙片の取り出し操作を繰り返しても、傾斜面部が破損し難い。
【００１９】
また、請求項５の考案にあっては、上記箱状収納部の長さ方向一端部には、上記蓋部の係合部と係合することによって、上記蓋部を閉止状態で係止しうる係止部材が回動可能に配設されていることから、上記蓋部を閉止状態で保持し、収納した紙片が落下することがなく、且つ上記把持用取手部を把持して持ち運ぶことができる。
従って、持ち運び操作が容易となると共に、収納された紙片が上記箱状収納
部から落下する虞がない。
【図面の簡単な説明】
【００２０】
【図１】本考案の一実施の形態を示し、実施例の形態における紙片収納具の全体斜視図である。
【図２】本考案の一実施の形態を示し、実施例の形態における紙片収納具の蓋部を開放した状態の斜視図である。
【図３】本考案の一実施の形態を示し、折紙を収納した状態における、図１のＡ−Ａ線断面の一部拡大図である。
【図４】本考案の一実施の形態を示し、実施例の形態における紙片収納具の底面図である。
【考案を実施するための最良の形態】
【００２１】
以下に添付図面を用いて、本考案に係る紙片収納具を折紙ケースに適用下場合を例に説明する。
図２に示すように、本実施例に係る折紙ケース１０は、上端に開口部１１を有し、複数枚の折紙１２を収納しうる平面長方形に形成された箱状収納部１３と、上記箱状収納部１３の開口部１１を開閉可能に閉止しうる蓋部１４とを備え、上記箱状収納部１３の長さ方向一端部１３ａにおいて、上記箱状収納部１３の底面部１５と側面部１６の上端縁部との間に配置され、上記底面部１５から側面部１６の上端縁部に向かって次第に高くなる傾斜面部１７が配設されている。
また、上記蓋部１４は、上記箱状収納部１３の長さ方向他端部１３ｂにヒンジ部１８を介して開閉可能に配設されている。
また、上記傾斜面部１７と上記箱状収納部１３は、一体成形により形成されている。
また、上記傾斜面部１７と上記箱状収納部１３との間には、補強部材１９が配設されている。
また、上記蓋部１４の長さ方向一端部１３ａには係合部２０が形成され、上記箱状収納部１３の長さ方向一端部１３ａには、上記係合部２０と係合することによって、上記蓋部を閉止状態で係止しうる係止部材２１が、回動可能に配設されると共に、上記箱状収納部１３の長さ方向他端部１３ｂには、把持用取手部２２が取り付けられている。
【実施例】
【００２２】
上記形態の実施例の構成について以下添付図面を用いて説明する。
図１は、本実施例に係る折紙ケース１０の蓋部１４を閉止した状態の全体斜視図を示している。
図１に示すように、本実施例に係る折紙ケース１０は、正方形の折紙を収納しうる全体薄型直方体に形成されている。
【００２３】
また、図２は、上記蓋部１４を、ヒンジ部１８を介して開放した状態を示す全体斜視図である。
図２に示すように、上記箱状収納部１３は、全体直方体に形成され、上端に開口部１１を有し、内部には複数の折紙１２が収納されている。
また、上記蓋部１４は、上記開口部１１を被覆しうる薄型直方体形状に形成されている。
また、傾斜面部１７、１７は、上記箱状収納部１３の内部において、長さ方向一端部１３ａの幅方向両端部に一対で配置されている。
【００２４】
また、図３は、図１におけるＡ−Ａ線断面の一部拡大図である。
図３に示すように、傾斜面部１７は、上記傾斜面部１７は、底面部１５に対する角度Ｑが約５０度の傾斜となるように、上記側面部１６の上端縁部に向かって、上記側面部１６と一体成型によって形成されている。
【００２５】
また、図４は、本実施例に係る折紙ケース１０の底面図である。
図４に示すように、上記箱状収納部１３の長さ方向一端部１３ａの側面部１６の内側面部と、上記傾斜面部１７、１７の外側面部との間には、夫々一対の三角状の補強部材１９、１９、１９、１９が、側面部１６と上記傾斜面部１７に対して、夫々直交するように配置されている。
【００２６】
また、図２に示すように、上記箱状収納部１３の長さ方向一端部１３ａの幅方向略中央部には、上記箱状収納部１３の長さ方向外方に向かって回動可能に、下端部が軸支された係止部材２１が配設されている。
また、上記蓋部１４の長さ方向一端部の幅方向略中央部には、幅方向中央部に向かって突出する一対の突起状の係合部２０、２０が形成され、上記蓋部１４を閉止した状態で、上記係止部材２１を回動させ、上記係止部材２１の上端部に形成された係合凹部２１ａと、上記係合部２０、２０とを夫々係合させることによって、蓋部１４が閉止状態で保持される。
また、図２に示すように、把持用取手部２２は平面コ字形状に形成され、上記箱状収納部１３の長さ方向他端部１３ｂの側面部２３に、回動可能に固定されている。
【００２７】
本実施例の作用について説明する。
図２に示すように、上記箱状収納部１３に収納された複数枚の折紙１２のうち、上端に配置された紙片２４を取り出す場合には、上端の紙片２４に指等を置き、上記箱状収納部１３の長さ方向一端部１４に向かって、傾斜面部１７、１７上を滑らせて、上記紙片２４が、側面部１６の上端縁部を越えて突出す位置までスライドさせる。
その後、突出した紙片２４を指等で摘んで取り出すことによって、折紙１２から一枚のみを簡単に取り出すことができる。
この際、傾斜面部１７、１７を備えることによって、紙片２４をめくりあげる必要が無く、幼児や児童であっても、簡単に取り出し作業を行うことができる。
【００２８】
また、上記傾斜面部１７と上記箱状収納部１３が一体成型によって形成されていることから、予め金型等を用意しておくことで、短時間に多量の製品を製造することが可能であるため、製品の製造コストを低減することができる。
また、一体成型であることから、上記傾斜面部１７と上記箱状収納部１３の側面部１６の上端縁部とが滑らかに接続されていることから、紙片２４をスライドさせる場合にも、移動が阻害されることがなく、取り出し作業が更に容易となる。
【００２９】
また、図１に示すように、上記係止部材２１によって、上記蓋部１４を閉止した状態で保持しうることから、把持用取手部２２を把持して持ち運んだ場合であっても、収納した折紙１２（図１には図示せず）が落下することがない。
【００３０】
なお、本実施例においては、収納物を折紙として説明したが、本考案に係る構成は、折紙以外の紙片であっても、適用することが可能である。
また、箱状収納部の大きさについても、収納する紙片の大きさ、厚み等に応じて、長さ方向寸法、若しくは幅方向寸法を適宜変更した場合であっても、本実施例と同様の作用、効果を得ることが可能である。
【産業上の利用可能性】
【００３１】
本考案は、折紙等の紙片を収納しうる紙片収納具に適用可能である。
【符号の説明】
【００３２】
１０  折紙ケース
１１  開口部
１２  折紙
１３  箱状収納部
１３ａ箱状収納部の長さ方向一端部
１３ｂ箱状収納部の長さ方向他端部
１４  蓋部
１４ａ蓋部の長さ方向一端部
１４ｂ蓋部の長さ方向他端部
１５  底面部
１６  側面部
１７  傾斜面部
１８  ヒンジ部
１９  補強部材
２０  係合部
２１  係止部材
２１ａ係合凹部
２２  把持用取手部
２３  側面部
２４  紙片（折紙）
【図１】
0003168971.tif 000003
【図２】
0003168971.tif 000004
【図３】
0003168971.tif 000005
【図４】
0003168971.tif 000006